(57)【要約】【課題】画面切換時に画面切換ノイズが発生することを防げる表示装置を提供する。【解決手段】リモコン８においてチャンネル切換操作がされると、マイコン３は、映像信号処理デバイス４から入力される垂直同期信号を監視しパルス信号を検出すると、該検出時から所定時間経過後に、映像信号処理デバイス４に黒画面用映像信号をモニタ５に出力させるための制御信号を映像信号処理デバイス４へ出力し、映像信号処理デバイス４に黒画面用映像信号を出力するよう要求する。【選択図】図１
2008109426.tif 000002
【特許請求の範囲】
【請求項１】
マイコンと、モニタと、映像信号および垂直同期信号に基づく信号を前記モニタに出力する映像信号処理デバイスとを備え、
前記マイコンが、前記映像信号処理デバイスから入力される垂直同期信号によりパルス信号を検出すると、
前記マイコンは、該検出時から所定時間経過後に、前記モニタに出力する映像信号を切換えるよう前記映像信号処理デバイスに要求する表示装置であって、
前記マイコンは、前記映像信号処理デバイスから入力される垂直同期信号によりパルス信号を検出してから前記モニタに出力する映像信号を切換えるよう前記映像信号処理デバイスに要求するまでの時間を初期値より変化させながら、前記映像信号処理デバイスから入力される映像信号が切換わるタイミングが垂直帰線期間内であるか否かを判定し、
前記所定時間は、前記映像信号処理デバイスから入力される映像信号が切換わるタイミングが垂直帰線期間内であると判定されたときの前記時間である、
ことを特徴とする表示装置。
【請求項２】
マイコンと、モニタと、映像信号および垂直同期信号に基づく信号を前記モニタに出力する映像信号処理デバイスとを備え、
前記マイコンが、前記映像信号処理デバイスから入力される垂直同期信号によりパルス信号を検出すると、
前記マイコンは、該検出時から所定時間経過後に、前記モニタに出力する映像信号を切換えるよう前記映像信号処理デバイスに要求する表示装置であって、
操作手段において第一の所定の操作がされるたびに、前記マイコンは、前記映像信号処理デバイスから入力される垂直同期信号によりパルス信号を検出してから前記第一の所定の操作に応じた時間の経過後に、前記モニタに出力する映像信号を切換えるよう前記映像信号処理デバイスに要求し、
前記所定時間は、前記操作手段において第二の所定の操作がされたときの前記第一の所定の操作に応じた時間である、
ことを特徴とする表示装置。
【請求項３】
マイコンと、モニタと、映像信号および垂直同期信号に基づく信号を前記モニタに出力する映像信号処理デバイスとを備えた表示装置において、
前記マイコンが、前記映像信号処理デバイスから入力される垂直同期信号によりパルス信号を検出すると、
前記マイコンは、該検出時から所定時間経過後に、前記モニタに出力する映像信号を切換えるよう前記映像信号処理デバイスに要求する、
ことを特徴とする表示装置。
【発明の詳細な説明】
【技術分野】
【０００１】
本発明は、テレビジョン等の表示装置に関する。
【背景技術】
【０００２】
従来のテレビジョンには、マイコンと映像処理デバイスとモニタとを有し、マイコンが映像信号処理デバイスを通信にて制御するものがある。このようなテレビジョン用のリモコンにおいて放送番組のチャンネル切換操作がされると、テレビジョンにおいてはチャンネル切換前の放送番組の画面とチャンネル切換後の放送番組の画面との間に黒画面を表示させていた（なお、黒画面表示に関しては特許文献１〜３を参照）。
【０００３】
具体的には、映像信号処理デバイスが放送信号に基づく映像信号をモニタに出力中にマイコンがリモコンにおけるチャンネル切換操作に対応するコード信号を受信すると、マイコンは即座に制御信号を映像信号処理デバイスに送信し映像信号処理デバイスに黒画面用映像信号をモニタに出力するよう要求し、映像信号処理デバイスが制御信号を受信すると放送信号に基づく映像信号から黒画面用映像信号に切換えてモニタに出力していた。
【特許文献１】特開２００１−２４９３２０号公報
【特許文献２】特開２００５−１３６７３０号公報
【特許文献３】特開２００６−３３１８７号公報
【発明の開示】
【発明が解決しようとする課題】
【０００４】
しかし、上記従来のテレビジョンでは、マイコンはコード信号を受信すると即座に制御信号を映像信号処理デバイスに送信していたので、映像信号処理デバイスが放送信号に基づく映像信号から黒画面用映像信号に切換えてモニタに出力するタイミングが垂直帰線期間内であるとは限らず、モニタの画面途中から黒画面に切換わり画面切換ノイズが発生するという問題があった。
【０００５】
上記問題点を鑑み、本発明は、画面切換時に画面切換ノイズが発生することを防げる表示装置を提供することを目的とする。
【課題を解決するための手段】
【０００６】
上記目的を達成するために本発明の表示装置は、マイコンと、モニタと、映像信号および垂直同期信号に基づく信号を前記モニタに出力する映像信号処理デバイスとを備えた表示装置において、
前記マイコンが、前記映像信号処理デバイスから入力される垂直同期信号によりパルス信号を検出すると、
前記マイコンは、該検出時から所定時間経過後に、前記モニタに出力する映像信号を切換えるよう前記映像信号処理デバイスに要求する、
ことを特徴としている。
【０００７】
このような構成によれば、マイコンが映像信号処理デバイスに映像信号の切換を要求するタイミングが垂直同期信号を用いてとられるので、映像信号の切換タイミングを常に垂直帰線期間内に収めることが可能となり、画面切換時に画面切換ノイズが発生することを防げる。
【０００８】
また、本発明の表示装置は上記構成において、前記マイコンは、前記映像信号処理デバイスから入力される垂直同期信号によりパルス信号を検出してから前記モニタに出力する映像信号を切換えるよう前記映像信号処理デバイスに要求するまでの時間を初期値より変化させながら、前記映像信号処理デバイスから入力される映像信号が切換わるタイミングが垂直帰線期間内であるか否かを判定し、
前記所定時間は、前記映像信号処理デバイスから入力される映像信号が切換わるタイミングが垂直帰線期間内であると判定されたときの前記時間である、
ことを特徴としている。
【０００９】
このような構成によれば、マイコンが映像信号処理デバイスに映像信号の切換を要求する最適なタイミングを自動的に決定することができる。
【００１０】
また、本発明の表示装置は上記構成において、操作手段において第一の所定の操作がされるたびに、前記マイコンは、前記映像信号処理デバイスから入力される垂直同期信号によりパルス信号を検出してから前記第一の所定の操作に応じた時間の経過後に、前記モニタに出力する映像信号を切換えるよう前記映像信号処理デバイスに要求し、
前記所定時間は、前記操作手段において第二の所定の操作がされたときの前記第一の所定の操作に応じた時間である、
ことを特徴としている。
【００１１】
このような構成によれば、ユーザは、マイコンが映像信号処理デバイスに映像信号の切換を要求するタイミングをモニタの表示結果を見ながら手動で調整することができる。
【発明の効果】
【００１２】
本発明の表示装置によれば、画面切換時に画面切換ノイズが発生することを防げる。
【発明を実施するための最良の形態】
【００１３】
以下、本発明の実施形態について図面を参照して説明する。
【００１４】
図１に、本発明に係るテレビジョンの概略構成図を示す。本発明に係るテレビジョンは、アンテナ１と、チューナ２と、マイコン３と、映像信号処理デバイス４と、モニタ５と、リモコン受信部６と、記憶部７とを備えている。
【００１５】
アンテナ１は、電波信号を受信し高周波信号である放送信号をチューナ２に出力する。チューナ２は、放送信号の中からマイコン３による選局制御に応じたチャンネルの放送信号を抽出し、該抽出された放送信号に基づく中間周波信号を映像信号処理デバイス４に出力する。
【００１６】
映像信号処理デバイス４は、中間周波信号に基づく映像信号、垂直同期信号および水平同期信号をモニタ５に出力する。また、映像信号処理デバイス４は、マイコン３から入力される制御信号に応じて黒画面用映像信号や白画面用映像信号をモニタ５に出力する。また、映像信号処理デバイス４は、中間周波信号に基づく垂直同期信号をマイコン３に出力もする。また、映像信号処理デバイス４は、モニタ５に出力する映像信号をマイコン３にも出力する。
【００１７】
マイコン３は、映像信号処理デバイス４に黒画面用映像信号や白画面用映像信号を出力させるための制御信号を映像信号処理デバイス４に出力する。また、マイコン３は、選局制御を行うこともする。
【００１８】
モニタ５は、映像信号処理デバイス４から入力される映像信号、垂直同期信号および水平同期信号に基づき放送番組画面や黒画面や白画面を表示する。リモコン受信部６は、リモコン８から赤外線信号を受信しコード信号をマイコン３に出力する。
【００１９】
次に、このような構成である本発明に係るテレビジョンにおける画面切換タイミング自動調整動作について図２に示すフローチャートを用いて説明する。画面切換タイミング自動調整動作はリモコン８における自動調整モードキー入力により開始される。
【００２０】
ここで、映像信号処理デバイス４は、チューナ２からの中間周波信号に基づく映像信号、垂直同期信号および水平同期信号をモニタ５に出力し、モニタ５に放送番組画面が表示されている。そして、リモコン８において自動調整モードキー入力がされると、リモコン受信部６がリモコン８から赤外線信号を受信しコード信号をマイコン３に出力し、マイコン３がコード信号を受信すると、ステップＳ２０でマイコン３が調整パラメータである遅延時間ｄｔを０に初期化する。
【００２１】
そして、ステップＳ２１で、マイコン３は、映像信号処理デバイス４に黒画面用映像信号をモニタ５に出力させるための制御信号を映像信号処理デバイス４へ出力し、映像信号処理デバイス４に黒画面用映像信号を出力するよう要求する。
【００２２】
そして、ステップＳ２２で、マイコン３は、映像信号処理デバイス４から入力される映像信号を監視し、映像信号が黒画面用映像信号に切換わったことを検出すると（ステップＳ２２のＹ）、ステップＳ２３でマイコン３は、映像信号処理デバイス４から入力される垂直同期信号を監視し、パルス信号を検出すると（ステップＳ２３のＹ）、ステップＳ２４に進む。
【００２３】
ステップＳ２４で、マイコン３は、１０ｍｓ＋遅延時間ｄｔだけ時間をカウントし、カウント後、映像信号処理デバイス４に白画面用映像信号をモニタ５に出力させるための制御信号を映像信号処理デバイス４へ出力し、映像信号処理デバイス４に白画面用映像信号を出力するよう要求する。ここで１０ｍｓはオフセット値の一例である。
【００２４】
そして、ステップＳ２５で、マイコン３は、映像信号処理デバイス４から入力される映像信号が黒画面用映像信号から白画面用映像信号に切換わるタイミングが垂直帰線期間内であるか否かを判定する。もし、垂直帰線期間内でなければ（ステップＳ２５のＮ）、ステップＳ２６に進み、マイコン３は現在の遅延時間ｄｔに６４ｕｓ（水平周期）を加えて新たな遅延時間ｄｔとし、ステップＳ２１に戻り以降同様の動作が繰り返される。
【００２５】
そして、ステップＳ２５でマイコン３が、映像信号処理デバイス４から入力される映像信号が黒画面用映像信号から白画面用映像信号に切換わるタイミングが垂直帰線期間内であると判定した場合は（ステップＳ２５のＹ）、ステップＳ２７に進み、マイコン３は現在の遅延時間ｄｔを記憶部７に記憶させ、画面切換タイミング自動調整動作は完了する。
【００２６】
ここで図３は、画面切換タイミング自動調整動作が完了する際の各信号のタイミングチャートを示している。図３中、ｓ１は映像信号処理デバイス４からマイコン３に入力される垂直同期信号を、ｓ２はマイコン３が映像信号処理デバイス４に出力する制御信号を、ｓ３は映像信号処理デバイス４からマイコン３に入力される映像信号を示す。
【００２７】
マイコン３が映像信号処理デバイス４から入力される垂直同期信号よりパルス信号を検出すると、その１０ｍｓ＋遅延時間ｄｔ後にマイコン３は映像信号処理デバイス４に白画面用映像信号をモニタ５に出力させるための制御信号を映像信号処理デバイス４へ出力し、その後映像信号処理デバイス４からマイコン３に入力される映像信号が黒画面用映像信号から白画面用映像信号に切換わるタイミングが垂直帰線期間内となっているので、ここでの遅延時間ｄｔが記憶部７に記憶され、画面切換タイミング自動調整動作が完了する。
【００２８】
画面切換タイミング自動調整動作が完了後、記憶部７に記憶された遅延時間ｄｔは例えば、放送チャンネル切換時の画面切換に用いられる。これについて図４に示すフローチャートを用いて以下説明する。
【００２９】
ここで、チューナ２から入力される或るチャンネルの放送信号に基づく中間周波信号に基づいた映像信号、垂直同期信号および水平同期信号を映像信号処理デバイス４がモニタ５に出力し、モニタ５に該チャンネルの放送番組画面が表示されているとする。そして、リモコン８においてチャンネル切換操作がされ、マイコン３がリモコン受信部６から対応するコード信号を受信すると、ステップＳ４０でマイコン３は映像信号処理デバイス４から入力される垂直同期信号を監視しパルス信号を検出すると（ステップＳ４０のＹ）、ステップＳ４１に進む。
【００３０】
ステップＳ４１で、マイコン３は、１０ｍｓ＋（記憶部７に記憶された遅延時間ｄｔ）だけ時間をカウントし、カウント後、映像信号処理デバイス４に黒画面用映像信号をモニタ５に出力させるための制御信号を映像信号処理デバイス４へ出力し、映像信号処理デバイス４に黒画面用映像信号を出力するよう要求する。
【００３１】
そして、ステップＳ４２で、マイコン３は、映像信号処理デバイス４から入力される映像信号を監視し、映像信号が中間周波信号に基づく映像信号から黒画面用映像信号に切換わったことを検出すると（ステップＳ４２のＹ）、ステップＳ４３に進み、マイコン３は、リモコン８におけるチャンネル切換操作に対応した選局制御を行う。
【００３２】
その後、ステップＳ４４で、マイコン３は、映像信号処理デバイス４から入力される切換後のチャンネルの放送信号に基づく中間周波信号に基づいた垂直同期信号を監視し、パルス信号を検出すると（ステップＳ４４のＹ）、ステップＳ４５に進む。
【００３３】
ステップＳ４５で、マイコン３は、１０ｍｓ＋（記憶部７に記憶された遅延時間ｄｔ）だけ時間をカウントし、カウント後、映像信号処理デバイス４に中間周波信号に基づく映像信号をモニタ５に出力させるための制御信号を映像信号処理デバイス４へ出力し、映像信号処理デバイス４に中間周波信号に基づく映像信号を出力するよう要求する。その後、映像信号処理デバイス４は制御信号を受信し、黒画面用映像信号から中間周波信号に基づく映像信号に切換えてモニタ５に出力し、モニタ５に切換後のチャンネルの放送番組画面が表示される。
【００３４】
前述した中間周波信号に基づく映像信号から黒画面用映像信号への切換タイミング、および黒画面用映像信号から中間周波信号に基づく映像信号への切換タイミングはいずれも垂直帰線期間内となるので、切換前のチャンネルの放送番組画面から黒画面への画面切換時、および黒画面から切換後のチャンネルの放送番組画面への画面切換時のいずれでも画面切換ノイズが発生することはない。
【００３５】
なお、前述した画面切換タイミング自動調整動作では遅延時間ｄｔを自動的に調整したが、以下のように手動で遅延時間ｄｔを調整できるようにしてもよい。これについて図５に示すフローチャートを用いて説明する。
【００３６】
ここで、映像信号処理デバイス４は、チューナ２からの中間周波信号に基づく映像信号、垂直同期信号および水平同期信号をモニタ５に出力し、モニタ５に放送番組画面が表示されている。そして、リモコン８において手動調整モードキー入力がされると、リモコン受信部６がリモコン８から赤外線信号を受信しコード信号をマイコン３に出力し、マイコン３がコード信号を受信すると、ステップＳ５０でマイコン３が調整パラメータである遅延時間ｄｔを０に初期化する。
【００３７】
そして、ステップＳ５１で、マイコン３は、映像信号処理デバイス４に黒画面用映像信号をモニタ５に出力させるための制御信号を映像信号処理デバイス４へ出力し、映像信号処理デバイス４に黒画面用映像信号を出力するよう要求する。
【００３８】
そして、ステップＳ５２で、マイコン３は、映像信号処理デバイス４から入力される映像信号を監視し、映像信号が黒画面用映像信号に切換わったことを検出すると（ステップＳ５２のＹ）、ステップＳ５３でマイコン３は、映像信号処理デバイス４から入力される垂直同期信号を監視し、パルス信号を検出すると（ステップＳ５３のＹ）、ステップＳ５４に進む。
【００３９】
ステップＳ５４で、マイコン３は、１０ｍｓ＋遅延時間ｄｔだけ時間をカウントし、カウント後、映像信号処理デバイス４に白画面用映像信号をモニタ５に出力させるための制御信号を映像信号処理デバイス４へ出力し、映像信号処理デバイス４に白画面用映像信号を出力するよう要求する。
【００４０】
そして、ステップＳ５５で、マイコン３は、映像信号処理デバイス４から入力される映像信号を監視し、映像信号が黒画面用映像信号から白画面用映像信号に切換わったことを検出すると（ステップＳ５５のＹ）、マイコン３はリモコン８におけるキー入力を受け付ける状態となる。そして、ステップＳ５６で、マイコン３は、遅延時間増加用キー入力、遅延時間減少用キー入力、調整終了用キー入力のいずれかを受け付けたか否かを判定し、もしいずれも受け付けていなければ（ステップＳ５６のＮ）、マイコン３は再びキー入力受付状態となる。
【００４１】
そして、もしステップＳ５６でマイコン３が遅延時間増加用キー入力を受け付けたと判定すれば（ステップＳ５６のＹ）、ステップＳ５７に進み、マイコン３は現在の遅延時間ｄｔに６４ｕｓを加えたものが所定値以下となるか否かを判定する。もし、所定値以下であれば（ステップＳ５７のＹ）、ステップＳ５８に進み、マイコン３は現在の遅延時間ｄｔに６４ｕｓを加えたものを新たな遅延時間ｄｔとして、ステップＳ５１に戻る。また、ステップＳ５７で、現在の遅延時間ｄｔに６４ｕｓを加えたものが所定値を超えると判定された場合は（ステップＳ５７のＮ）、遅延時間ｄｔは更新せずにステップＳ５１に戻る。
【００４２】
また、もしステップＳ５６でマイコン３が遅延時間減少用キー入力を受け付けたと判定すれば（ステップＳ５６のＹ）、ステップＳ５９に進み、マイコン３は現在の遅延時間ｄｔから６４ｕｓを減じたものが０以上となるか否かを判定する。もし、０以上であれば（ステップＳ５９のＹ）、ステップＳ６０に進み、マイコン３は現在の遅延時間ｄｔから６４ｕｓを減じたものを新たな遅延時間ｄｔとして、ステップＳ５１に戻る。また、ステップＳ５９で、現在の遅延時間ｄｔから６４ｕｓを減じたものが０より小さいと判定された場合は（ステップＳ５９のＮ）、遅延時間ｄｔは更新せずにステップＳ５１に戻る。
【００４３】
また、もしステップＳ５６でマイコン３が調整終了用キー入力を受け付けたと判定すれば（ステップＳ５６のＹ）、ステップＳ６１に進み、マイコン３は現在の遅延時間ｄｔを記憶部７に記憶させ、手動調整モードが終了する。
【００４４】
これにより、ユーザはモニタ５で黒画面から白画面への切換を確認しながらリモコン８により手動で遅延時間ｄｔを調整することができる。そして、この調整され記憶部７に記憶された遅延時間ｄｔを前述した放送チャンネル切換時の画面切換等に用いればよい。
【００４５】
また、記憶部７に記憶された遅延時間ｄｔがメーカーにより設定された固定値であり、これを前述した放送チャンネル切換時の画面切換等に用いるようにしてもよい。
【図面の簡単な説明】
【００４６】
【図１】は、本発明に係るテレビジョンの概略構成図である。
【図２】は、画面切換タイミング自動調整動作に関するフローチャートである。
【図３】は、画面切換タイミング自動調整動作が完了する際の各信号のタイミングチャートである。
【図４】は、放送チャンネル切換時の画面切換に関するフローチャートである。
【図５】は、画面切換タイミング手動調整動作に関するフローチャートである。
【符号の説明】
【００４７】
１    アンテナ
２    チューナ
３    マイコン
４    映像信号処理デバイス
５    モニタ
６    リモコン受信部
７    記憶部
８    リモコン
【図１】
2008109426.tif 000003
【図２】
2008109426.tif 000004
【図３】
2008109426.tif 000005
【図４】
2008109426.tif 000006
【図５】
2008109426.tif 000007